(57)【要約】【課題】実釣時において、元竿部分が撓んでも、リール脚固定装置との間で応力集中を抑制することが可能な釣竿を提供する。【解決手段】本発明に係る釣竿は、魚釣用リールが装着可能なリール脚載置部１１と、リール脚載置部１１に載置されたリール脚を固定する一対の固定フード１２ｂ及び移動フード１２ａと、を備え、元竿に外嵌される筒状のリール脚固定装置１０を有する。そして、リール脚固定装置１０の本体１４の端部に、端縁１４ａから所定の範囲内が本体の曲げ剛性よりも低い曲げ剛性となる低剛性領域１５を形成し、本体１４と比較して柔軟性を有する柔軟部材１８を、低剛性領域１５、及び／又は低剛性領域１５に隣接する元竿表面に被着したたことを特徴とする。【選択図】図２
2009240250.tif 000002
【特許請求の範囲】
【請求項１】
魚釣用リールが装着可能なリール脚載置部と、前記リール脚載置部に載置されたリール脚を固定する一対の固定フード及び移動フードと、を備え、元竿に外嵌される筒状のリール脚固定装置を有する釣竿において、
前記リール脚固定装置の本体の端部に、端縁から所定の範囲内が本体の曲げ剛性よりも低い曲げ剛性となる低剛性領域を形成し、
前記本体と比較して柔軟性を有する柔軟部材を、前記低剛性領域、及び／又は前記低剛性領域に隣接する元竿表面に被着したことを特徴とする釣竿。
【請求項２】
前記低剛性領域は、本体の端縁から５〜１０ｍｍの範囲内で形成されていることを特徴とする請求項１に記載の釣竿。
【請求項３】
前記低剛性領域は、前記固定フードの後端縁における肉厚の２０％〜５０％の肉厚とした薄肉厚部で構成されることを特徴とする請求項２に記載の釣竿。
【請求項４】
前記低剛性領域は、周方向に沿って所定間隔で形成される切欠き部を有することを特徴とする請求項１から３のいずれか１項に記載の釣竿。
【請求項５】
前記低剛性領域は、固定フード側に設けられており、前記柔軟部材は、前記固定フードの表面を被着することを特徴とする請求項１から４に記載の釣竿。
【発明の詳細な説明】
【技術分野】
【０００１】
本発明は釣竿に関し、詳細には、リールが装着されるリール脚固定装置を備えた釣竿に関する。
【背景技術】
【０００２】
従来、リールが装着可能な釣竿として、例えば、特許文献１に開示されているように、管状体として構成される元竿の外周面に対し、筒状に構成されたリール脚固定装置を外嵌した構成が知られている。このリール脚固定装置には、リールの脚部を載置するリール脚載置部と、リール脚載置部の軸方向両側に設けられてリール脚を固定する一対のフード部が設けられている。
【０００３】
前記一対のフード部は、一方がリール脚固定装置の本体に固定され（固定フード）、他方が軸方向に摺動できるように本体に設けられ（移動フード）、例えば、本体に螺合された回転部材を回転操作することで、移動フードを固定フードに対して、接近／離間させ、リールを装着したり、取り外すことができるようになっている。
【特許文献１】実開平６−４１４７３号
【発明の開示】
【発明が解決しようとする課題】
【０００４】
通常、上記したようなリール脚固定装置は、大きい負荷が作用するリールを装着する部分であることから、その本体は、ナイロン、ＡＢＳ等の硬質合成樹脂部材や、アルミ、ＳＵＳ、チタン等の金属等によって一体形成されており、これを、元竿の外周面に接着剤を塗布した後、外嵌することで、元竿に一体的に固定されている。一方、前記元竿は、一般的に、強化繊維樹脂製の管状体として構成されていることから、元竿と比較すると、リール脚固定装置は、曲げ剛性が高く、曲がり難いという性質がある。
【０００５】
このため、釣竿に大きな負荷が加わったり、或いは竿尻を体に押し付けて大きなシャクリ操作をした場合等、元竿が撓むと、リール脚固定装置の本体が元竿の撓みに追従しないことがある。すなわち、元竿が撓むと、それに外嵌されている筒状のリール脚固定装置の本体は、その撓みに追従できないことから、端部領域において楕円状に広げられる力が作用するようになり、特に、本体の端部における撓み側（下面側）の部分では、元竿に応力集中が生じてしまう。
【０００６】
この結果、元竿の、リール脚固定装置の本体の端部に該当する領域（本体の端縁位置）では、耐久性が低下して、実釣時に支障を来たす可能性がある。
【０００７】
本発明は、上記した問題に着目して成されたものであり、実釣時において、元竿部分が撓んでも、リール脚固定装置との間で応力集中を抑制することが可能な釣竿を提供することを目的とする。
【課題を解決するための手段】
【０００８】
上記した目的を達成するために、本発明に係る釣竿は、魚釣用リールが装着可能なリール脚載置部と、前記リール脚載置部に載置されたリール脚を固定する一対の固定フード及び移動フードと、を備え、元竿に外嵌される筒状のリール脚固定装置を有しており、前記リール脚固定装置の本体の端部に、端縁から所定の範囲内が本体の曲げ剛性よりも低い曲げ剛性となる低剛性領域を形成し、前記本体と比較して柔軟性を有する柔軟部材を、前記低剛性領域、及び／又は前記低剛性領域に隣接する元竿表面に被着したことを特徴とする。
【０００９】
上記した構成では、元竿とリール脚固定装置の本体との間で曲げ剛性差があっても、リール脚固定装置の本体の端部の所定の範囲内に、低剛性領域が形成されていることから、元竿に負荷が加わって撓みが生じた際に、低剛性領域が元竿の撓みに追従することが可能となる。このため、元竿の、リール脚固定装置の端部で生じ易い応力集中を緩和することが可能となり、折れや損傷等を抑制することが可能となる。また、そのような低剛性領域は、柔軟部材によって覆われており、その柔軟部材は、低剛性領域に隣接する元竿表面に被着されることから、本体の端縁部分から受ける応力集中を分散して、より効果的に緩和することが可能となる。なお、柔軟部材については、低剛性領域のみを被着する構成、低剛性領域に隣接する元竿表面のみを被着する構成、或いは、その両者を被着する構成であっても良い。
【発明の効果】
【００１０】
本発明によれば、実釣時において、元竿部分が撓んでも、リール脚固定装置との間で応力集中を抑制することが可能な釣竿が得られる。
【発明を実施するための最良の形態】
【００１１】
以下、本発明に係る釣竿の実施形態について、図１から図３を参照して具体的に説明する。これらの図において、図１は、釣竿の全体構成を示す図、図２は、リール脚固定装置部分を示す縦断面図、そして、図３は、リール脚固定装置の端部部分を拡大して示す図であり、（ａ）は縦断面図、（ｂ）は軸方向から見た図である。
【００１２】
本実施形態に係る釣竿１は、魚釣用リール５０を着脱可能にする筒状のリール脚固定装置１０を装着した元竿３と、元竿３に対して継合される先竿４とを備えた２本継ぎとして構成されている。この場合、両竿部材の継合は、振り出し式に構成されていても良いし、並継式に構成されていても良い。また、各竿部材の継合本数は任意であり、竿部材の構造についても、管状体に構成されていても良いし、中実状に構成されていても良い。更に、竿部材を構成する素材については、例えば、強化繊維に合成樹脂を含浸したプリプレグシート等を用いることが可能である。
【００１３】
前記竿部材（先竿４）には、複数の釣糸ガイド（外ガイド）５が設けられており、前記リール脚固定装置１０に装着された魚釣用リール５０から繰出される釣糸を案内するようになっている。また、元竿３には、必要に応じて、前記リール脚固定装置１０の前後に、グリップ３０，３１が設けられている。このようなグリップは、例えば、前記リール脚固定装置１０の本体１４の硬度と比較して柔軟性のある部材（ウレタン樹脂、熱可塑性エラストマー、コルク、ウレタン系の発泡性部材等）によって構成され、元竿３の外周に被着される。
【００１４】
前記リール脚固定装置１０は、魚釣用リール５０の脚部が載置されるリール脚載置部１１と、その前後に対向して配置され、リール脚を受け入れる開口を有する一対のフード部１２ａ，１２ｂとを有する筒状の本体１４を備えている。この本体１４は、大きな負荷が作用する魚釣用リールを強固に固定する部分であることから、例えば、ナイロン、ＡＢＳ等の硬質合成樹脂部材や、アルミ、ＳＵＳ、チタン等の金属等によって一体形成されており、元竿３の外周面に接着剤を塗布した後、嵌入することで、元竿３に一体的に固定される。
【００１５】
前記一対のフード部の内、穂先側のフード部１２ａは移動フードとして構成され、後方側のフード部１２ｂは固定フードとして構成されている（以下、移動フード１２ａ、固定フード１２ｂと称する）。このようなリール脚固定装置１０は、公知のように、本体１４の外周面に刻設された雄ネジ部１６ａに対して回転操作部１６を回転操作することで、移動フード１２ａを固定フード１２ｂに対して軸方向に接近／離間させ、魚釣用リール５０を締め付け固定したり、取り外しできるよう構成されている。
【００１６】
そして、前記本体１４の端部には、その端縁１４ａから所定の範囲内が本体１４そのものの曲げ剛性よりも低い曲げ剛性となる低剛性領域１５が形成されている。この低剛性領域１５は、元竿３が撓んだ際、その撓みに追従して元竿３に対し応力集中を生じさせないか、或いは、応力集中を緩和するような作用を発揮する部分であり、本体１４の端部、特に、本実施形態では、肉厚があり、曲げ剛性の高い固定フード１２ｂの後方側の端部に設けられている。
【００１７】
具体的に、低剛性領域１５は、本体１４の後方側に設けられた固定フード１２ｂの後方側の端縁１４ａから所定の範囲を薄肉厚化することで構成されている（薄肉厚部を符号１５ａで示す）。この場合、薄肉厚部１５ａの肉厚については、薄過ぎると割れ等の問題が生じ、厚過ぎると曲げ剛性が高くなって元竿３に対して応力集中を生じさせる傾向が高くなるため、前記固定フード１２ｂの後端縁における肉厚Ｔの２０％〜５０％の範囲に設定しておくことが好ましい。
【００１８】
また、薄肉厚部１５ａを形成する領域、すなわち、低剛性領域１５を形成する領域（図３において符号Ｌ１で示す）については、端縁１４ａから短過ぎると、十分な応力集中の緩和効果が得られないため、低剛性領域を形成する領域Ｌは、５〜１０ｍｍ程度に設定することが好ましい。
【００１９】
このように、リール脚固定装置１０の本体１４に低剛性領域１５を形成しておくことで、元竿３に大きな負荷が加わって撓みが生じた際、低剛性領域１５の部分は曲げ剛性が低くなっていることから、元竿３の撓みに追従することが可能となり、この結果、元竿３に対する応力集中を生じさせることが緩和され、元竿３の破損、損傷を防止することが可能となる。
【００２０】
そして、上記した低剛性領域１５には、さらに、本体１４と比較して柔軟性を有する素材、例えば、ゴム、エラストマー、ＥＶＡ、コルク等によって構成される円筒状の柔軟部材１８が被着されている。
【００２１】
このような柔軟部材１８は、図２に示すように、本体１４に形成される低剛性領域１５のみならず、低剛性領域１５の後方側近傍で、低剛性領域１５に隣接する元竿３の表面部分を被着するようにしている。
【００２２】
このように、柔軟部材１８を配設して低剛性領域１５、及びそれに隣接する元竿３の表面部分を覆うように構成することで、図２に示すＬの領域を、応力集中の緩和領域とすることができる。すなわち、元竿３が撓んだ際、最初に曲げ応力が作用する部分が、柔軟部材１８となるため、本体１４の端縁から作用する応力集中を分散することができるようになり、元竿３に作用する応力集中を、より効果的に緩和することが可能となる。なお、柔軟部材１８を被着することで、低剛性領域１５と共に形成される応力集中緩和領域Ｌについては、８〜２０ｍｍ程度、設置しておけば良い。
【００２３】
また、上記した柔軟部材１８については、図２に示すように、固定フード１２ｂの表面領域を覆うように構成しても良い。
【００２４】
これは、固定フード１２ｂの表面領域は、釣人によっては、図４に示すように元竿３を握持、保持した際、手の親指を載置することがある。例えば、魚釣用リール５０のクラッチプレートを親指で押下げ操作した後、そのまま親指を一連の動作によって載置したり、或いは、女性や子供のように手が小さい場合、元竿３を握る際に親指を載置することがあるため、この部分も柔軟部材１８で被着することで、載置した親指の滑りが生じ難くなって、握持、保持性の向上が図れるようになる。
【００２５】
もちろん、上記した柔軟部材１８は、例えば、図５に示すように、固定フード１２ｂの表面を覆うことなく、低剛性領域１５、及びその後方側近傍で、元竿３の表面部分を被着するような構成であっても良い。或いは、柔軟部材１８は、低剛性領域１５のみを覆うように被着される構成であっても良いし、低剛性領域１５に隣接する元竿表面領域のみを覆うように被着される構成であっても良い。前者の構成では、低剛性領域１５が隠蔽されて外観の向上が図れるようになり、後者の構成では、柔軟部材で応力集中を緩和することが可能となる。
【００２６】
以上のように構成されるリール脚固定装置１０を装着した釣竿では、元竿３に大きな負荷が加わって撓みが生じた際、低剛性領域１５の部分は曲げ剛性が低くなっていることから、元竿３の撓みに追従することが可能となり、元竿３に対する応力集中を生じさせることが緩和され、元竿３の破損、損傷を防止することが可能となる。更に、柔軟部材１８によって、低剛性領域１５、及びその後方側の元竿３の表面も覆われているため、より効果的に応力集中が分散されるようになり、かつ、低剛性領域１５を露出させないことから、外観の向上も図れるようになる。
【００２７】
特に、本実施形態では、肉厚が厚く、曲げ剛性が高くなる固定フード１２ｂの後方側端部領域に低剛性領域１５を形成しているため、元竿３に対する応力集中をより効果的に抑制することが可能となる。
【００２８】
上述した実施形態では、低剛性領域１５は、端部に薄肉厚部１５ａを形成することで曲げ剛性を低くするよう構成したが、低剛性領域１５の構成については、適宜、変形することが可能である。
【００２９】
例えば、端縁１４ａから所定の範囲内の領域に周方向に沿って所定間隔で切欠き部を形成することで、本体１４の端部領域の曲げ剛性を低くすることが可能である。具体的に、切欠き部は、図６（ａ），（ｂ）に示すように、端縁１４ａから固定フード１２ｂに向けて所定長さ（上記したＬ１の範囲内に形成することが好ましい）切り込まれるスリット１５ｂとし、これを周方向に沿って所定間隔で形成したり、或いは、図７（ａ），（ｂ）に示すように、端部領域（上記したＬ１の範囲内とすることが好ましい）において打ち抜かれる開口孔１５ｃとし、これを周方向に沿って所定間隔で形成しても良い。
【００３０】
このような切欠き部１５ｂ，１５ｃを形成することにより、その端部領域の曲げ剛性を低くすることが可能となり、上記した実施形態と同様な作用効果が得られる。なお、このような切欠き部は、上記したように、薄肉厚部に形成しても良いし、図６及び図７に示すように、薄肉厚部を形成することなく、固定フード１２ｂの後端領域に形成しても良い。
【００３１】
以上、本発明の実施形態について説明したが、本発明は、上述した実施形態に限定されることは無く種々変形することが可能である。上記した低剛性領域１５については、移動フード１２ａ側の端部に形成しても良い。また、低剛性領域１５は、本体１４の端部の周方向全体に亘って形成するのではなく、元竿３が撓んだ際に、最も曲げ応力が集中する部分となる本体１４の上下の位置のみに形成しても良い。
【図面の簡単な説明】
【００３２】
【図１】本発明に係る釣竿の一実施形態を示す図。
【図２】リール脚固定装置部分を示す縦断面図。
【図３】リール脚固定装置の端部部分を拡大して示す図であり、（ａ）は縦断面図、（ｂ）は軸方向から見た図。
【図４】リール脚固定装置部分の握持、保持状態を示す側面図。
【図５】低剛性領域に被着される柔軟部材の変形例を示す図。
【図６】リール脚固定装置の端部部分の変形例を拡大して示す図であり、（ａ）は縦断面図、（ｂ）は軸方向から見た図。
【図７】リール脚固定装置の端部部分の別の変形例を拡大して示す図であり、（ａ）は縦断面図、（ｂ）は開口孔部分での断面図。
【符号の説明】
【００３３】
１  釣竿
３  元竿
４  先竿
１０  リール脚固定装置
１１  リール脚載置部
１２ａ  移動フード
１２ｂ  固定フード
１４  本体
１５  低剛性領域
１５ａ  薄肉厚部
１５ｂ  スリット（切欠き部）
１５ｃ  開口孔（切欠き部）
５０  魚釣用リール
【図１】
2009240250.tif 000003
【図２】
2009240250.tif 000004
【図３】
2009240250.tif 000005
【図４】
2009240250.tif 000006
【図５】
2009240250.tif 000007
【図６】
2009240250.tif 000008
【図７】
2009240250.tif 000009